(57)【特許請求の範囲】
【請求項１】
建造物（１）の基部領域から前記建造物（１）の他の領域へ積荷要素（１１，１２，１Ａ，１Ｂ，１５）を持ち上げるため、及び／又は前記建造物（１）の他の領域から前記建造物（１）の前記基部領域へ前記積荷要素（１１，１２，１Ａ，１Ｂ，１５）を下降させるためのアセンブリ（２０）であって、該アセンブリが、
−前記積荷要素（１１，１２，１Ａ，１Ｂ，１５）を支持するためのプラットフォーム要素（２０Ａ）と、
−前記建造物（１）の前記基部領域から前記建造物（１）の前記他の領域へ前記プラットフォーム要素（２０Ａ）を持ち上げるための、及び／又は前記建造物（１）の前記他の領域から前記建造物（１）の前記基部領域へ前記プラットフォーム要素（２０Ａ）を下降させるための持上げ手段と、
−前記プラットフォーム要素（２０Ａ）における積荷持上げ位置から前記建造物（１）における積荷取付位置へ前記建造物（１）の前記他の領域における前記積荷要素（１１，１２，１Ａ，１Ｂ，１５）を移動するために前記プラットフォーム要素（２０Ａ）に対してその位置を変更することができるよう配置された変位要素（２７）と
を含む前記アセンブリにおいて、
前記持上げ手段が、前記建造物（１）の頂部領域に固定されることが可能な固定アセンブリ（２）によって支持されていること、及び前記積荷取付位置において前記プラットフォーム要素（２０Ａ）が少なくとも部分的に前記建造物（１）の頂部の下方に配置されており、前記プラットフォーム要素（２０Ａ）上の前記変位要素が、前記プラットフォーム要素（２０Ａ）上に支持されたＣ字状のフレームであり、該Ｃ字状のフレームが、水平なはりによって結合された２つの垂直なはりで構成されており、複数の支持ジャッキ（８５）が前記Ｃ字状のフレームの前記水平なはりに設けられていることを特徴とするアセンブリ。
【請求項２】
前記固定アセンブリ（２）が、前記積荷取付位置において前記プラットフォーム要素（２０Ａ）を機械的に固定するために設けられていることを特徴とする請求項１記載のアセンブリ。
【請求項３】
前記固定アセンブリ（２）が前記建造物（１）の表面から延びる積荷支持部（５）を含んでいることを特徴とする請求項２記載のアセンブリ。
【請求項４】
前記建造物（１）の前記基部領域から前記建造物（１）の前記頂部領域へ前記プラットフォーム要素（２０Ａ）を持ち上げるための前記持上げ手段が、前記固定アセンブリ（２）に固定された持上げケーブル（９）を含むことを特徴とする請求項１〜３のいずれか１項に記載のアセンブリ。
【請求項５】
前記建造物（１）の前記基部領域から前記建造物（１）の前記頂部領域へ前記プラットフォーム要素（２０Ａ）を持ち上げるための前記持上げ手段が、前記持上げケーブル（９）に結合された少なくとも１つの持上げ装置を含むことを特徴とする請求項４記載のアセンブリ。
【請求項６】
前記プラットフォーム要素（２０Ａ）上の前記変位要素が、前記プラットフォーム要素（２０Ａ）上に支持されたそり（２７）であることを特徴とする請求項１〜５のいずれか１項に記載のアセンブリ。
【請求項７】
前記プラットフォーム要素（２０Ａ）が、該プラットフォーム要素（２０Ａ）の重心をほぼ一定な位置又はあらかじめ設定された位置に維持するために用いられ得る少なくとも１つの、変位可能なカウンタウェイトを含むことを特徴とする請求項１〜６のいずれか１項に記載のアセンブリ。
【請求項８】
前記プラットフォーム要素（２０Ａ）が、持上げプロセス中に前記積荷要素（１１，１２，１Ａ，１Ｂ，１５）を支持し、及び／又は取り付けるための手段を含むことを特徴とする請求項１〜７のいずれか１項に記載のアセンブリ。
【請求項９】
前記プラットフォーム要素（２０Ａ）が、前記積荷要素（１１，１２，１Ａ，１Ｂ，１５）の位置を微調整するための少なくとも１つの調整ジャッキを含むことを特徴とする請求項１〜８のいずれか１項に記載のアセンブリ。
【請求項１０】
建造物（１）の基部領域から前記建造物（１）の他の領域へ積荷要素（１１，１２，１Ａ，１Ｂ，１５）を請求項１に記載のアセンブリを用いて持ち上げるための方法であって、以下のステップ：
−前記建造物（１）の頂部領域に固定アセンブリ（２）を設けるステップと、
−前記建造物（１）の前記基部領域に前記積荷要素（１１，１２，１Ａ，１Ｂ，１５）を支持するために、及びプラットフォーム要素（２０Ａ）を持上げケーブル（９）と係合させるために前記プラットフォーム要素（２０Ａ）を組み立てるステップと、
−持ち上げられるべき前記積荷要素（１１，１２，１Ａ，１Ｂ，１５）を前記建造物（１）の前記基部領域に設けるステップと、
−前記プラットフォーム要素（２０Ａ）上に前記積荷要素（１１，１２，１Ａ，１Ｂ，１５）を搭載し、前記積荷要素（１１，１２，１Ａ，１Ｂ，１５）と共に前記プラットフォーム要素（２０Ａ）を前記建造物（１）の前記他の領域における積荷持上げ位置へ持ち上げるか、又は前記積荷要素（１１，１２，１Ａ，１Ｂ，１５）なしに前記プラットフォーム要素（２０Ａ）を持ち上げ、前記建造物（１）の前記他の領域における前記積荷持上げ位置に前記プラットフォーム要素（２０Ａ）が到達した後に前記プラットフォーム要素（２０Ａ）上に前記積荷要素（１１，１２，１Ａ，１Ｂ，１５）を搭載するステップと、
−前記プラットフォーム要素（２０Ａ）における変位要素（２７）を用いて前記積荷要素（１１，１２，１Ａ，１Ｂ，１５）を移動させるステップと、
−前記建造物（１）における移動させたその位置へ前記積荷要素（１１，１２，１Ａ，１Ｂ，１５）を搭載するステップと、
−前記プラットフォーム要素（２０Ａ）を前記建造物（１）の前記基部領域へ下降させるステップと
を含むことを特徴とする方法。
【請求項１１】
前記プラットフォーム要素（２０Ａ）が前記建造物（１）の前記他の領域へ到達した後に前記積荷要素（１１，１２，１Ａ，１Ｂ，１５）を移動させるステップが実行されることを特徴とする請求項１０記載の方法。
【請求項１２】
前記プラットフォーム要素（２０Ａ）の持上げ中に前記積荷要素（１１，１２，１Ａ，１Ｂ，１５）を移動させるステップが実行されることを特徴とする請求項１０又は１１記載の方法。
【請求項１３】
前記プラットフォーム要素（２０Ａ）が、固定アセンブリ（２）を用いて前記積荷持上げ位置に機械的に固定されていることを特徴とする請求項１０〜１２のいずれか１項に記載の方法。
【請求項１４】
前記その位置へ搭載するステップの前に、前記積荷要素（１１，１２，１Ａ，１Ｂ，１５）の位置が少なくとも１つの調整ジャッキによって調整されることを特徴とする請求項１０〜１３のいずれか１項に記載の方法。
【請求項１５】
前記積荷要素（１１，１２，１Ａ，１Ｂ，１５）を有する前記プラットフォーム要素（２０Ａ）を前記建造物（１）の前記他の領域における前記積荷持上げ位置へ持ち上げる間に、及び／又は前記積荷要素（１１，１２，１Ａ，１Ｂ，１５）を前記積荷持上げ位置から積荷取付位置へ移動させる間に、及び／又は前記建造物（１）におけるその位置に前記積荷要素（１１，１２，１Ａ，１Ｂ，１５）を搭載する間に、前記プラットフォーム要素（２０Ａ）の重心が、変位可能なカウンタウェイトを用いてほぼ一定の位置又はあらかじめ設定された位置に維持されることを特徴とする請求項１０〜１４のいずれか１項に記載の方法。
【請求項１６】
前記積荷要素（１１，１２，１Ａ，１Ｂ，１５）を有する前記プラットフォーム要素（２０Ａ）を前記建造物（１）の前記他の領域における前記積荷持上げ位置へ持ち上げる間に、及び／又は前記積荷要素（１１，１２，１Ａ，１Ｂ，１５）を前記積荷持上げ位置から積荷取付位置へ移動させる間に、及び／又は前記建造物（１）におけるその位置に前記積荷要素（１１，１２，１Ａ，１Ｂ，１５）を搭載する間に、前記プラットフォーム要素（２０Ａ）の重心が、前記変位要素（２７）を拘束するか、又はずらすことでほぼ一定の位置又はあらかじめ設定された位置に維持されることを特徴とする請求項１０〜１５のいずれか１項に記載の方法。
【発明の詳細な説明】
【技術分野】
【０００１】
本発明は、一般的な形態において、特に重い要素が建造物の頂部へ持ち上げられ、及び／又はこの建造物のいずれかの部分から地面へ下降される場合の高い建造物の形成の技術分野に関するものである。より詳細な形態においては、本発明は、積荷を高い建造物へ持ち上げ、及び／又は積荷を高い建造物から下降させるアセンブリ及びこれに対応する方法に関するものである。
【背景技術】
【０００２】
近年、世界において建設された高い建造物の数において重要な増加がみられる。過去１０年において、ラジオ及びテレビの放送用タワーがこのタイプの主な建造物であった。しかしながら、エネルギーの代替（又は新たな）源の強い必要性により、最近では、しばしば風力タービンと呼ばれる風力発電設備の建造の必要性が増加している。
【０００３】
最近建設された風力タービンの多くは、発電機ユニットに結合され、高いタワーの頂部に配置されたロータ（一般にはエアスクリュに類似した形状）で構成されている。ギアボックス、ドライブトレイン、ブレーキなどのような他の構成要素を有する発電機ユニットは、ナセルと呼ばれるカバーハウジング内に収容されている。最新の風力タービンのうちいくつかは、サービス員及び必要な工具をヘリコプタから風力タービンへ巻下げすることが可能なヘリコプタ巻上げプラットフォームを含んでいる。
【０００４】
一般に、風力タービンは、タワーを建造し、そして、ロータ及びナセルをその頂部に持ち上げ、配置することで建設される。この目的のために、タワー及び発電機設備の個々の構成要素は、従来から従来のクレーン及び他の類似の装置を用いて持ち上げられてきた。
【０００５】
しかしながら、全世界の風力タービンの数と並行して過去１０年にわたってその大きさも絶えず増大してきた。いままでの最大の風力タービンは、約７．５ＭＷの発電容量と約１５０〜２００ｍの高さであるが、様々な会社が既に１０ＭＷまでの容量を有する風力タービンの開発における活動を報告している。
【０００６】
これらの新たな風力タービンは、従来のクレーンでは及ばないより高いタワー及び／又はより重い発電機が必要となることがあり得る。
【０００７】
最近の風力タービンを建設するために用いることが可能な積荷の持ち上げのためのいくつかの新しいシステム及び方法が既に提案されている。しかしながら、提案された装置及びシステムは、一般的に複雑で重く大きな体積を占めるとともに、その組立、解体及び搬送が非常に複雑である。これらの装置及びシステムの多くは、立ち上げ中に風の負荷を非常に受けやすく、すなわち立ち上げは無風又は非常に遅い風速においてのみ行うことが可能である。これは、しばしば風力タービンの建設中のかなりのタイムロスを伴うものである。
【発明の概要】
【発明が解決しようとする課題】
【０００８】
高い建造物の建設のために、重い積荷を持ち上げるための改善されたシステム及び方法が必要とされる。したがって、本発明の目的は、高い建造物上への重い積荷の持上げに関する上述の問題のうち少なくともいくつかを克服することにある。
【課題を解決するための手段】
【０００９】
本発明の第１の形態によれば、請求項１による、積荷要素を持ち上げ、及び／又は下降させるためのアセンブリが提供される。
【００１０】
より具体的には、本発明の第１の形態によれば、建造物の基部領域から前記建造物の他の領域へ積荷要素を持ち上げるため、及び／又は前記建造物の他の領域から前記建造物の前記基部領域へ前記積荷要素を下降させるためのアセンブリが提供され、該アセンブリは、前記積荷要素を支持するためのプラットフォーム要素と、前記建造物の前記基部領域から前記建造物の前記他の領域へ前記プラットフォーム要素を持ち上げるための、及び／又は前記建造物の前記他の領域から前記建造物の前記基部領域へ前記プラットフォーム要素を下降させるための持上げ手段と、前記プラットフォーム要素の積荷持上げ位置から前記建造物における積荷取付位置へ前記建造物の前記他の領域における前記積荷要素を移動するために前記プラットフォーム要素に対してその位置を変更することができるよう配置された変位要素とを含み、前記持上げ手段が、前記建造物の頂部領域に固定されることが可能な固定アセンブリによって支持されており、前記積荷取付位置において前記プラットフォーム要素が少なくとも部分的に前記建造物の頂部の下方に配置されている。
【００１１】
本発明の第２の形態によれば、建造物、特に風力タービンのタワー、の基部領域から前記建造物の他の領域へ積荷要素を持ち上げるための方法が提供され、該方法は、以下のステップ：
−前記建造物の頂部領域に固定アセンブリを設けるステップと、
−前記建造物の前記基部領域に前記積荷要素を支持するために、及びプラットフォーム要素を持上げケーブルと係合させるために前記プラットフォーム要素を組み立てるステップと、
−持ち上げられるべき前記積荷要素を前記建造物の前記基部領域に設けるステップと、
−前記プラットフォーム要素に前記積荷要素を搭載し、前記建造物の前記他の領域において前記積荷要素と共に前記プラットフォーム要素を積荷持上げ位置へ持ち上げるか、又は前記積荷要素なしに前記プラットフォーム要素を持ち上げ、前記建造物の前記他の領域における前記積荷持上げ位置に前記プラットフォーム要素が到達した後に前記プラットフォーム要素に前記積荷要素を搭載するステップと、
−前記プラットフォーム要素における変位要素を用いて前記積荷要素を移動させるステップと、
−前記建造物におけるその位置へ前記積荷要素を搭載するステップと、
−前記プラットフォーム要素を前記建造物の前記基部領域へ下降させるステップと
を含む。
【００１２】
いずれにしても、様々な積荷要素の持上げを同時に又は別々に次々と行うことが可能であることに留意すべきである。また、本発明は、例えば風力タービンの要素の交換又はタワーの解体の場合に、建造物のいかなる領域からも建造物の基部領域へ積荷要素を下降させるための方法に関するものでもあることに留意すべきである。
【００１３】
提案されたアセンブリ及び方法は、高い構造物における持ち上げられた領域へ積荷を持ち上げるための（又はこのような構造物から積荷を下降させるための）新たな、革新的な解決手段を提供する。提案されたアセンブリは、軽量かつシンプルであり、類似の装置に比べて少ない点数の要素のみを有している。本発明による持上げアセンブリの組立、解体及び搬送（移転）は、非常に迅速であり、したがって迅速なターンアラウンドタイムを達成することが可能である。また、本発明による持上げアセンブリ及び／又は下降アセンブリにより、様々な要素を同時に持ち上げ、及び／又は下降することが可能である。したがって、この重い積荷の取付プロセス全体を、代替的な持上げ装置を用いるよりもより迅速に行うことが可能である。さらに、提案されたアセンブリを、タワー自体を建設するために用いることが可能であり、また、不利な天候状況、特に強風により従来の持上げ装置を満足に用いることができない状況において適用することも可能である。
【００１４】
本発明の他の形態は、添付の従属請求項及び明細書に記述されている。
【００１５】
本発明の他の特徴及び利点は、（風力タービンが示されているが本発明は全ての高い構造物に適用される）制限されていない例示的な実施例の、添付の図面を参照した以下の説明から明らかである。
【図面の簡単な説明】
【００１６】
【図１】ロータ及びナセルを持ち上げるステップ前の風力タービンタワーの頂部領域の斜視図である。
【図２】持上げプロセスの開始前の、本発明による第１の実施例によるプラットフォーム要素を有する図１の風力タービンタワーの基部領域の斜視図である。
【図３】持上げ工程中の中間位置における、風力タービンタワーと本発明の第１の実施例による持上げ装置の斜視図である。
【図４】所定の位置へナセルを配置するプロセスを示す積荷取付位置での本発明の第１の実施例によるプラットフォーム要素と風力タービンタワーの頂部領域の斜視図である。
【図５】所定の位置へロータを配置するプロセスを示す積荷取付位置での本発明の第１の実施例によるプラットフォーム要素と風力タービンタワーの頂部領域の斜視図である。
【図６】下降工程中の中間位置における、本発明の第１の実施例によるプラットフォーム要素と風力タービンタワーの斜視図である。
【図７】ロータ及びナセルの持上げのステップ前の本発明の第２の実施例による他の風力タービンタワーの頂部領域の斜視図である。
【図８】持上げプロセス前の、本発明による第２の実施例によるプラットフォーム要素を有する、図７の風力タービンタワーの基部領域の斜視図である。
【図９】所定の位置へナセルを配置するプロセスを示す積荷取付位置での本発明の第２の実施例によるプラットフォーム要素と風力タービンタワーの頂部領域の斜視図である。
【図１０】所定の位置へロータ及びナセルを配置するプロセスを示す積荷取付位置での本発明の第２の実施例によるプラットフォーム要素と風力タービンタワーの頂部領域の斜視図である。
【図１１】下降工程中の中間位置における、風力タービンタワーと本発明の第２の実施例によるプラットフォーム要素の斜視図である。
【図１２】持上げプロセスの開始前の、本発明の第３の実施例によるプラットフォームを有する図１の風力タービンタワーの基部領域の斜視図である。
【図１３】持上げ工程中の中間位置における、風力タービンタワーと本発明の第３の実施例によるプラットフォーム要素の斜視図である。
【図１４】所定の位置へナセルロータアセンブリを配置するプロセスを示す積荷取付位置での本発明の第３の実施例によるプラットフォーム要素と風力タービンタワーの頂部領域の斜視図である。
【図１５】所定の位置へナセルロータアセンブリが配置された後の本発明の第３の実施例によるプラットフォーム要素と風力タービンタワーの頂部領域の斜視図である。
【図１６】持上げプロセスの開始前の、本発明の第４の実施例によるプラットフォームを有する図１の風力タービンタワーの基部領域の斜視図である。
【図１７】持上げ工程中の中間位置における、風力タービンタワーと本発明の第４の実施例によるプラットフォーム要素の斜視図である。
【図１８】プラットフォーム要素がタワーの頂部領域へ到達した後の、風力タービンタワーと本発明の第４の実施例によるプラットフォーム要素の斜視図である。
【図１９】所定の位置へナセルロータアセンブリを配置するプロセスを示す、風力タービンタワーと本発明の第４の実施例によるプラットフォーム要素の斜視図である。
【図２０】所定の位置へロータの第３のブレードを配置するプロセスを示す、風力タービンタワーと本発明の第４の実施例によるプラットフォーム要素の斜視図である。
【図２１】持上げプロセスの開始前の、本発明による第５の実施例によるプラットフォーム要素を有する沖合プラットフォーム上に配置された風力タービンタワーの基部領域の斜視図である。
【図２２】積荷要素の搭載中の、本発明による第５の実施例によるプラットフォーム要素を有する沖合プラットフォームの斜視図である。
【図２３】持上げ工程中の中間位置における、風力タービンタワーと本発明の第５の実施例によるプラットフォーム要素の斜視図である。
【図２４】持上げ工程中の中間位置における、風力タービンタワーと本発明の第５の実施例によるプラットフォーム要素の斜視図である。
【図２５Ａ】プラットフォーム要素の頂部における積荷要素の側方の変位を示す、風力タービンタワーの頂部領域と本発明の第５の実施例によるプラットフォーム要素の側方から見た図である。
【図２５Ｂ】プラットフォーム要素の頂部における積荷要素の側方の変位を示す、風力タービンタワーの頂部領域と本発明の第５の実施例によるプラットフォーム要素の側方から見た図である。
【図２６】プラットフォーム要素の下降前の段階における風力タービンタワーの頂部領域と本発明の第５の実施例によるプラットフォーム要素の側方から見た図である。
【図２７】持上げプロセスの開始前の、本発明による第６の実施例によるプラットフォームを有する部分的に組み立てられたタワーの基部領域の斜視図である。
【図２８】積荷取付位置にあり、タワーセグメントをプラットフォーム要素へ搭載する前の、本発明の第６の実施例によるプラットフォームを有するタワーの斜視図である。
【図２９】持ち上げられたタワーセグメントが所定の位置へもたらされる前の積荷取付位置における、本風力タービンタワーの頂部領域と発明の第６の実施例によるプラットフォーム要素の斜視図である。
【図３０】所定の位置へ１つのタワーセグメントを配置するプロセスを示す、本発明の第６の実施例によるプラットフォーム要素と風力タービンタワーの頂部領域の斜視図である。
【図３１】プラットフォーム要素をタワーから取り外し、プラットフォーム要素をタワーの次のセグメントへ持ち上げるプロセスを示す、本発明の第６の実施例によるプラットフォーム要素とタワーの頂部領域の斜視図である。
【図３２】プラットフォーム要素をタワーの新たな頂部に固定するプロセスを示す、本発明の第６の実施例によるプラットフォーム要素とタワーの頂部領域の斜視図である。
【図３３】プラットフォーム要素を次のタワーセグメントへ搭載する前の位置における、本発明の第６の実施例によるプラットフォーム要素とタワーの斜視図である。
【図３４】持上げの準備ができた２つの追加的なタワーセグメントを有する、本発明の第７の実施例によるプラットフォーム要素を有する部分的に組み立てられたタワーの基部領域の斜視図である。
【図３５】取り付けられたブラケットアセンブリを有するタワーの頂部領域の斜視図である。
【図３６】１つのタワーセグメントを所定の位置へもたらすプロセスとこのタワーセグメントを部分的に立ち上げられたタワーの頂部へ搭載するステップを示す、本発明の第７の実施例によるプラットフォーム要素と風力タービンタワーの頂部領域の斜視図である。
【図３７】１つのタワーセグメントを所定の位置へもたらすプロセスとこのタワーセグメントを部分的に立ち上げられたタワーの頂部へ搭載するステップを示す、本発明の第７の実施例によるプラットフォーム要素と風力タービンタワーの頂部領域の斜視図である。
【図３８】本発明の第７の実施例によるプラットフォーム要素をタワーの新たな頂部においてブラケットアセンブリに結合するステップを示す、タワーの頂部領域の斜視図である。
【図３９】第２のタワーセグメントを所定の位置へもたらすプロセスとこの第２のタワーセグメントを部分的に立ち上げられたタワーの頂部へ搭載するステップを示す、本発明の第７の実施例によるプラットフォーム要素と風力タービンタワーの頂部領域の斜視図である。
【図４０】第２のタワーセグメントを所定の位置へもたらすプロセスとこの第２のタワーセグメントを部分的に立ち上げられたタワーの頂部へ搭載するステップを示す、本発明の第７の実施例によるプラットフォーム要素と風力タービンタワーの頂部領域の斜視図である。
【図４１】第２のタワーセグメントを所定の位置へもたらすプロセスとこの第２のタワーセグメントを部分的に立ち上げられたタワーの頂部へ搭載するステップを示す、本発明の第７の実施例によるプラットフォーム要素と風力タービンタワーの頂部領域の斜視図である。
【図４２】解体及び下降のプロセスにおける本発明の第７の実施例によるプラットフォーム要素の斜視図である。
【図４３】解体及び下降のプロセスにおける本発明の第７の実施例によるプラットフォーム要素の斜視図である。
【発明を実施するための形態】
【００１７】
以下に、本発明のいくつかの実施例を添付の図面を参照しつつより詳細に記述する。異なる図に現れる同一の機能及び構造上の要素には同一の参照番号が割り当てられている。容易性のために、様々な図における特定の参照符号は、図面の良好な理解のために必要なその機能的及び構造上の要素に対してのみ付されている。しかしながら、特定の図におけるその省略がこれらが存在しないことを自動的に意図するものではない。
【００１８】
また、異なる複数の実施例が風力タービンすなわちロータ及びナセルを頂部に有するタワーを備えた構造を組み立てることに関して詳細に記述されているものの、この具体的な記述は少しも制限して理解されるべきではない。なぜなら、本発明が高い構造物及び建造物に適用されるためである。また、本発明の異なる複数の実施例が積荷の持上げのための方法を用いて詳細に記述されているものの、建造物の基部領域への積荷の下降のための対応する方法は等しく本発明の一部であると理解されるべきである。
【００１９】
図１には、ロータ及びナセルが持ち上げられて取り付けられる風力タービンタワーの頂部領域が斜視図で示されている。図１から見て取れるように、ブラケットアセンブリ２がタワー１の頂部領域に設けられている。
【００２０】
ブラケットアセンブリ２は３つのブラケット要素３を備えている。しかしながら、ブラケットアセンブリ２は他の数のブラケット要素３を備えることもできる。これらブラケット要素のそれぞれははり状の１つの積荷支持部５を有しており、この積荷支持部は、タワー１の表面に対して約９０°の角度でタワー１から外方へ延在している。しかし、ブラケット要素３の積荷支持部５は、タワー１の表面に対して他の角度で配置されることも可能である。
【００２１】
図１のブラケットアセンブリ２における積荷支持部５のそれぞれ１つは、ブラケット要素３を補強するために、積荷支持部５からタワー１の表面へ延びる支持ストラット７によって支持されている。図１から見て取れるように、積荷支持部５とタワー１の間の支持ストラット７は、斜角で配置されているが、支持ストラット７の他の配置も一般に可能である。しかし、例えば図７に見て取れるように、いかなる支持ストラットも有さない（すなわち片持ちばり構造を有する）ブラケット要素３も可能である。
【００２２】
持上げケーブル９は、積荷支持部５のそれぞれ１つから垂直に下方へ吊るされている。しかし、これらケーブル９の角度の他の配置、特にタワー１に対して平行に配置された持上げケーブル９についてその平行な位置と垂直な位置の間又は垂直に越える他の位置も一般に可能である。これら持上げケーブル９は、一般にタワー１の基部領域へ延びている。持上げケーブル９は、タワーの基礎に結合可能であるか、又は結合可能でない。ここで用いられる用語「ケーブル」はロープ、ワイヤ、ストランド、ストリップ、バー又はこれら要素の束のような一般に強く、伸長した要素をさす。
【００２３】
このブラケットアセンブリ２は、自己上昇式又は従来のクレーンを用いてタワー１の頂部領域へ上昇されるように構成されている。また、ブラケットアセンブリ２は、（例えば本発明のいくつかの実施例に関連して表されているように）タワー又はタワーセグメントにあらかじめ取り付けられることが可能である。ブラケットアセンブリ２が自己上昇式に設定されていれば、このブラケットアセンブリは、複数の自己クローリングジャッキ又は他の適切な自己上昇方法を用いてタワー１の頂部領域へ上昇されることが可能である。別な方法では、タワー１の頂部領域における取付点から吊るされた持上げケーブル（持上げケーブル９とは異なるもの）は、タワー１の頂部領域へブラケットアセンブリ２を上昇させるために従来の方法で用いられることが可能である。
【００２４】
ブラケットアセンブリ２の積荷支持部５は、これらが積荷上昇段階中及び取付過程中のいかなる時間において重い積荷の重量を支持することができるように設定されている。この理由のために、積荷の重さの周直方向の負荷力がタワーへ伝達されるように積荷支持部５がタワー１の頂部に適切に保持されることが好ましい。タワー１へのブラケットアセンブリ２の結合は、例えばピンシステム又はタワー１を貫通することが可能な類似のものによって保持されることが可能である。各ブラケット要素３は、１つ又は複数の結合点によってタワー１に結合されることが可能である。
【００２５】
図２は、本発明の第１の実施例によるアセンブリ２０のプラットフォーム要素２０Ａと、タワー１の頂部へ持ち上げられるために配置されるナセル１１及びロータ１２とを有する図１の風力タービンタワー１の基部領域の斜視図である。
【００２６】
図２において見て取れるように、プラットフォーム要素２０Ａは、フレームの形状を有するとともに、タワー１の基部に組み立てられている。プラットフォーム要素２０Ａ（及びそのアセンブリ２０）は一般に鋼で構成されているが、他の適当な材料も用いることが可能である。そり２７（例えば図４により良好に表されている）及びＣ字状のフレーム２３が図２におけるプラットフォーム要素２０Ａの頂部に取り付けられている。アセンブリ２０のプラットフォーム要素２０Ａは、２つの比較的短い他のストラップ要素２２によって結合された２つの比較的長いストラップ要素２１を含むフレーム構造である。比較的短いストラップ要素２２のうちの１つは、比較的長いストラップ要素２１の２つの先端部を結合する。一方、比較的短いストラップ要素２２のうち他方のものは第１の比較的短いストラップ要素２２と両比較的長い要素２１の中心点との間の任意の距離に配置される。当然、正確な位置及び比較的短いストラップ要素２２の総数は、本発明の概念を逸脱することなく変更することが可能である。
【００２７】
アセンブリ２０のプラットフォーム要素２０Ａは、２つの比較的長いストラップ要素２１がタワー１の異なる側に配置されるようにタワー１の基部周辺に配置されている。この位置に一度取り付けられると、プラットフォーム要素２０Ａは、ブラケットアセンブリ２の積荷支持部５から吊るされる持上げケーブル９に結合される。
【００２８】
図２におけるプラットフォーム要素２０Ａの頂部におけるＣ字状のフレーム２３はほぼ垂直な２つの単一ばり２５で構成されており、これら単一ばりは、ほぼ水平な単一ばり２４によって結合されている。当然、Ｃ字状のフレーム２３についての他の構造も考えられる。
【００２９】
図２に戻れば、ナセル１１及びロータ１２がプラットフォーム要素２０Ａを用いてタワー１の頂部へ持ち上げられるための位置へもたらされたことが見て取れる。風力タービンのロータ１２は、３つのブレード（斜視図においてはそのうち１つが視認できない）とハブ１３とで構成されている。ナセル１１は、一般に、発電機ユニット及び他の必要な機器を含んでいる。ナセル１１及びロータ１２は、持上げ操作前にあらかじめ組み立てられている。
【００３０】
ナセル１１は、プラットフォーム要素２０Ａ上のそり２７の頂部に配置されている。この目的のために、従来のクレーン又は他の適切な方法を用いることが可能である。ナセル１１は、必要であれば、そり２７及び／又は直接プラットフォーム要素２０Ａに保持されることができる。他方、ロータ１２は、地面に対して平行に延びる複数のブレードと共に配置されているとともに、例えば取付ケーブル２４（図４において良好に視認可能）を用いてＣ字状のフレーム２３に取り付けられている。この位置において、ロータ１２及びナセル１１は、タワー１の頂部領域へ持ち上げる準備ができている。
【００３１】
図３は、タワー１の頂部領域への途中におけるプラットフォーム要素２０Ａの中間位置を表している。図２を参照して説明されるようにロータ１２及びナセル１１がプラットフォーム要素２０Ａ上に配置された後、プラットフォーム要素２０Ａ全体がロータ１２及びナセル１１と共に持上げケーブル９を用いた適切な方法で持ち上げられる。特に、ウインチ及びこれに類する装置を用いることができるが、当業者は、他の適切な持上げ装置及び／又は方法を用いることができることは容易に理解するであろう。持上げスピードは、変更可能であり、一般的には約４０ｍ／ｈである。しかし、約１００ｍ／ｈに達するようなより大きな持上げスピードを用いることも可能である。
【００３２】
プラットフォーム要素２０Ａの持上げ操作中に、Ｃ字状のフレーム２３に取り付けられたロータ１２を平坦な位置（すなわち地面に対してほぼ平行）から直立位置へ回転させる必要がある。一般的なケースでは、ロータ１２は、このロータ１２が重力の影響の下で直立位置に適合するよう自動的に強いられるようにケーブル２４によりＣ字状のフレーム２３に吊るされる。しかしながら、サービスクレーン３０又はこれに類する装置は、ロータ１２の配向の調整を補助するため及びブレード１５を支持するために用いられることも可能である。位置調整は、ロータ１２が完全に直立位置（すなわち地面に対して垂直）に達した後に完了する。
【００３３】
プラットフォーム要素２０Ａは、１つ又は複数のカウンタウェイト（不図示）を含むことができる。これらカウンタウェイトは、適当な方法を用いてプラットフォーム要素２０Ａに対して変位することができる。これらカウンタウェイトは、持上げ操作中に、タワーの中心に対してアセンブリ２０全体（すなわちプラットフォーム要素２０Ａ、ナセル１１及びロータ１２）の重心のあらかじめ設定された位置を補償するために適切な方法で用いられることが可能である。
【００３４】
当該プラットフォーム要素２０Ａの上に取り付けられたナセル１１及びロータ１２を有するプラットフォーム要素２０Ａがタワー１の頂部領域に到達した後、持上げ操作を停止することができる。ブラケットアセンブリ２は、プラットフォーム要素２０Ａをこの位置で保持し、及び固定するために用いることが可能である。当然、他の固定方法及び保持方法も用いることができる。また、ここではいかなる固定方法又は保持方法を用いず、持上げ過程全体中及び下降過程全体中にプラットフォーム要素２０Ａを持上げケーブル９に吊るすことが可能である。本発明のこの第１の実施例による、しかし他の全ての実施例に適用可能なアセンブリの重要な特性及び方法は、プラットフォーム要素２０Ａが少なくとも部分的にタワー１の頂部の下方に配置されるように、より具体的にはタワー１の頂部における最終位置へ到達するためにプラットフォーム要素２０Ａの頂部における積荷要素（例えばロータ１２及びナセル１１、またタワー自体の個々のセグメント１Ａ又は１Ｂ）を容易に動かすことを可能とするように、積荷取付位置にプラットフォーム要素２０Ａが配置されるという事実である。
【００３５】
そり２７及びＣ字状のフレーム２３の両者は、プラットフォーム要素２０Ａの頂部において水平方向へ、一般的には２つの比較的長いストラップ要素２１に平行な方向へ変位（すなわち摺動、転動又は他の適切な方法による移動）することができる。しかし、横方向の移動、すなわちプラットフォーム要素２０Ａの比較的長いストラップ要素２１に対して垂直な移動も可能である。この目的のために、適当な運動手段例えば油圧ジャッキを用いることが可能である。タワー１の頂部にひとたび位置すると、そり２７がナセル１１と共にそのあらかじめ設定された最終位置までタワー１へ向かって変位することが可能である。水平方向及び垂直方向にナセル１１の正確な位置を達成するために、微調整のための調整ジャッキ２９を用いることも可能である。そうすると、ナセル１１は、図４において矢印で表されているように、そり２７からタワー１の頂部へ移動する。
【００３６】
持上げプロセス及び／又は取付プロセスの全ての段階においては、重心をほぼ変更しないかあらかじめ設定された位置に維持するために、プラットフォーム要素２０Ａのカウンタウェイトを調製する必要があり得る。当然、重心が所望の位置に維持されることを保証するための他の手段、特に、ロータ及び／又はナセル、そりをオフセットするための拘束手段又はこれに類するものも用いることができる。
【００３７】
図５に示された持上げ方法の次のステップにおいては、ロータ１２が設置される。この目的のために、ロータ１２を有するＣ字状のフレーム２３もプラットフォーム要素２０Ａの中心へ向けて（すなわちタワー１へ向けて）移動する。この移動は、図４において矢印で示されている。ロータの正確な位置を達成するために、特にロータ１２をナセル１１と整列させるために、ここでは、ナセル１１へのロータ１２の取付前に微調整のための１つ又は複数の調整ジャッキ２０００を用いることが可能である。プラットフォーム要素２０Ａの持上げジャッキも、ナセル１１の位置を微調整するために用いることができる。ここでも、持上げ装置２０の重心をほぼ変更することなく又はあらかじめ設定された位置へ維持するためにカウンタウェイトを調整することが可能である。
【００３８】
ロータ１２及びナセル１１がひとたびその最終位置にあれば、Ｃ字状のフレーム２３及びナセル支持そり２７の両者は、風力タービンを通過させるためにプラットフォーム要素２０Ａに関してその初期位置へ戻されることができる。適当であれば、プラットフォーム要素２０Ａを、ブラケットアセンブリ２から取り外し、持上げケーブル９へ再び結合することが可能である。
【００３９】
本発明の一実施例による持上げ方法の最終ステップが図６に示されている。（ロータ１２及びナセル１１を有さない）プラットフォーム要素２０Ａは、持上げ操作とは逆の方法でタワー１の基部へ下降される。下降プロセス中には、風力タービンタワー１及び／又はロータブレード１５を通過させるためにそり２７の位置を調整する必要があり得る。プラットフォーム要素２０Ａがひとたび完全に下降されると、プラットフォーム要素を持上げケーブル９から取り外し、分解することが可能である。そして、プラットフォーム要素２０Ａの要素は、次のタワーへ搬送され、再び組み立てられ、他の積荷（例えば他のタワーのロータ及びナセル）を持ち上げるために同様の方法において用いられ得る。
【００４０】
本発明によるアセンブリの第２の実施例及び方法が図７〜図１１に示されている。
【００４１】
基本的に、アセンブリ２０及びそのプラットフォーム要素２０Ａの第２の実施例は、上述の第１の実施例と非常に類似したものである。特に、この第２の実施例も、図１に示されたものに類似のように、ブラケットアセンブリ２に依存する。しかし、本発明のこの第２の実施例におけるブラケットアセンブリ２は、支持ストラットによって支持されずに片持ちばり構造を有する対応する積荷支持部を有するブラケット要素３が用いられる。この目的のために、ブラケット要素３は内部ストラット３’を用いて相互に結合され得るが、他の締結手段及び支持手段も考えられる。また、本発明のこの第２の実施例によるアセンブリは図１に示されているようなブラケットアセンブリ２によっても可能である。
【００４２】
図８において見て取れるように、プラットフォーム要素２０Ａの第２の実施例も、本発明の第１の実施例のプラットフォーム要素２０Ａに類似したフレームの形状を有する要素に基づくものである。特に、図８における特有の実施例において、プラットフォーム要素２０Ａは、１つの比較的短いストラップ要素２２によって結合され、タワー１の両側に配置された２つの比較的長いストラップ要素２１を含んでいる。本発明の第１の実施例に関連して述べたように、ストラップ要素２１，２２の数及び位置は、本発明の概念を逸脱することなく変更可能である。
【００４３】
本発明の第２の実施例によるプラットフォーム要素２０Ａも、第１の実施例のプラットフォーム要素２０Ａに類似の方法において、図９に示すようにＣ字状のフレーム２００を含んでいる。プラットフォーム要素２０Ａの頂部におけるこのＣ字状のフレーム２００は、第１の実施例のＣ字状の要素２３に類似するものであるとともに、ほぼ水平なストラップ要素２０２によって結合されたほぼ垂直な２つの要素２０１（これ自体はストラップ要素２１，２２を有する構造において類似している）によって構成されている。当然、Ｃ字状のフレーム２００のための他の構造及び特に本発明の第１の実施例におけるような単一ばりを用いた構造も考えられる。さらに、本発明の第２の実施例によるプラットフォーム要素２０Ａはポータルフレーム２１０を含んでおり、このポータルフレームもほぼ水平な要素２１２によって結合されたほぼ垂直な２つの要素２１１で構成されている。
【００４４】
本発明の第２の実施例によるプラットフォーム要素２０Ａのわずかに異なる構造が得られると、第２の実施例のこのアセンブリ２０を用いた持上げ方法も、以下に説明するように、本発明の第１の実施例によるアセンブリ２０に適合された持上げ方法とは異なるものとなる。
【００４５】
プラットフォーム要素２０Ａがタワー１の基部領域で組み立てられた後、このプラットフォーム要素は、タワー１の頂部領域におけるブラケットアセンブリ２のブラケット要素３に取り付けられた持上げケーブル９に結合される。そして、ナセル１１は、プラットフォーム要素２０Ａにおけるポータルフレーム２１０上へ配置される。次のステップでは、風力タービンのロータ１２が、地面において完全に組み立てられるとともに、プラットフォーム要素２０ＡにおけるＣ字状のフレーム２００に取り付けられる。これら要素は、持ち上げられ、適切な方法及びシーケンスを用いるプラットフォーム要素２０Ａ上へ組み立てられることが可能である。
【００４６】
そして、当該プラットフォーム要素２０Ａ上に配置されたロータ１２及びナセル１１を有するプラットフォーム要素２０Ａは、持上げケーブル９を用いて持ち上げられる。プラットフォーム要素２０Ａの持上げ操作中には、ロータ１２を平坦な位置（すなわち地面に対してほぼ平行）から直立位置へ回転させる必要がある。一般的なケースでは、ロータ１２のブレード１５は、このブレード１５が重力の影響の下で直立位置に適合するよう自動的に強いられるようにケーブルに吊るされる。しかしながら、サービスクレーン３０又はこれに類する装置は、ブレード１５及びロータ１２の配向の調整を補助するために用いられることも可能である。位置調整は、ロータ１２が完全に直立位置（すなわち地面に対して垂直）に達した後に完了する。
【００４７】
図９において見て取れるように、プラットフォーム要素２０Ａがタワー１の頂部領域に達した後、持上げ操作は、ナセル１１及びロータ１２のその最終位置における取付を許容するために停止されることができる。また、本発明の持上げ装置２０の第２の実施例によっても、ブラケットアセンブリ２をこの位置におけるプラットフォーム要素２０Ａの保持及び固定のために用いることができるが、他の方法を用いることも可能である。特に、（テレスコピック式の）複数の支持アーム２２０をプラットフォーム要素２０Ａの保持に用いることが可能である。なぜなら、これら支持アームを異なるタワー形状（例えばだ円形状又は長方形状）に適応させることも可能である。
【００４８】
次のステップにおいては、図１０に示されているように、当該ポータルフレーム上に配置されたナセル１１を有するポータルフレーム２１０が、ナセル１１がその最終位置へ至るまで（図９において矢印で示されているように）タワー１へ向けて移動する。調整ジャッキ（第１の実施例に類似するもの）をナセル１１の正確な位置に到達するための微調整に用いることが可能である。プラットフォーム要素２０Ａの持上げジャッキも、ナセル１１及びロータ１２の位置の微調整のために用いることが可能である。そして、ナセルがタワー１の頂部へ搭載される。次のステップでは、ロータ１２がＣ字状のフレーム２００を用いて同様に移動及び配置され、場合によっては完全な風力タービン構造を形成するためにナセル１１へ結合される。
【００４９】
図１１において見て取れるように、プラットフォーム要素２０Ａは、本発明の第１の実施例によるプラットフォーム要素２０Ａの下降と同じような方法でタワー１の基部領域へ下降される。複数の支持アーム２２０は、プラットフォーム要素２０Ａの下降中に連続的に引っ込められる。
【００５０】
本発明のこの第２の実施例によるアセンブリ２０のプラットフォーム要素２０Ａは、当然、持上げプロセス中及び／又は下降プロセス中にほぼ同じ位置又はあらかじめ設定された位置に重心を維持するために用いられ得る移動可能なカウンタウェイトを含むことも可能である。
【００５１】
本発明によるアセンブリ及び方法の第３の実施例が図１２〜図１５に示されている。
【００５２】
基本的に、プラットフォーム要素２０Ａの第３の実施例は、上述の第１及び第２の実施例におけるプラットフォーム要素２０Ａにかなり類似している。特に、この第３の実施例も図１に示されているブラケットアセンブリ２に依存する。また、図１２において見て取れるように、本発明の第２の実施例によるアセンブリ２０も、フレームの形状を有するプラットフォーム要素２０Ａに基づき、本発明の第１又は第２の実施例によるアセンブリ２０のプラットフォーム要素２０Ａに類似している。
【００５３】
しかしながら、本発明のこの第３の実施例によるプラットフォーム要素２０Ａは、主に、図１２におけるプラットフォーム要素２０ＡがいかなるＣ字状のフレームも含んでいないという事実によって本発明の第１及び第２の実施例とは異なっている。この変更に従い、このプラットフォーム要素２０Ａに適用される持上げ方法も、以下に説明するように、本発明の第１及び第２の実施例によるプラットフォーム要素２０Ａに適用される持上げ方法とは異なっている。
【００５４】
プラットフォーム要素２０Ａがタワー１の基部領域において組み立てられた後、このプラットフォーム要素が、ブラケットアセンブリ２（図１参照）の積荷支持部５に取り付けられた持上げケーブルに結合される。そして、ロータ１２の２つのブレード１５及びハブ１３も地面において組み立てられ、ナセル１１へ結合される。そして、このアセンブリは、持ち上げられ（すなわち従来のクレーンを用いて）、そり２７上でプラットフォーム要素２０Ａの頂部に配置される。ロータ１２の第３のブレード１５は、タワー１の基部の近傍における地面で置かれたままである。
【００５５】
次のステップでは、プラットフォーム要素２０Ａ（その上にナセル１１及び２つのブレードのロータを有する）が持上げケーブル９を用いて持ち上げられる。ある高さへ到達した後、持上げは停止され、サービスクレーン３０又は他の適当な装置が、残りの第３のロータブレード１５を持上げるため、及びこれをロータのハブ１３へ結合するために用いられる。図１３は、ロータ１２が完全に組み立てられた後の持上げ方法のこのステップを示している。
【００５６】
図１４において見て取れるように、プラットフォーム要素２０Ａがタワー１の頂部領域に達した後、ナセル及びロータ１２をその最終位置において取り付けることを可能とするために持上げ操作を停止させることが可能である。また、本発明のプラットフォーム要素２０Ａの第３の実施例により、ブラケットアセンブリ２を、この位置におけるプラットフォーム要素２０Ａを保持し、固定するために用いることが可能である。しかし、他の方法も同様に用いることが可能である。そして、アセンブリであるナセル−ロータを有するそり２７は、ナセル１１及びロータ１２が図１５に示されたその最終位置へ達するまで、（図１４において矢印で表されているように）タワー１へ向けて転動又は摺動することが可能である。ナセル１１及び／又はロータ１２の正確な位置を達成するために、調整ジャッキ２９を微調整に用いることが可能である。
【００５７】
ロータ１２及びナセル１１がその最終位置へ配置された後のプラットフォーム要素２０Ａの下降は、本発明の第１及び第２の実施例による持上げ装置の下降と同様である。
【００５８】
本発明の第３の実施例によるプラットフォーム要素２０Ａも移動可能な複数のカウンタウェイトを含んでいることが言及されるべきであり、これらカウンタウェイトは、上昇プロセス全体の間にほぼ同一の位置又はあらかじめ設定された位置に重心を維持するために用いられることが可能である。
【００５９】
図１６〜図２０には、本発明の第４の実施例によるアセンブリ２０及び方法が図示されている。ここでも、本発明の第１、第２及び第３の実施例のプラットフォーム要素２０Ａとかなり類似したプラットフォーム要素２０Ａを用いるものである。特に、本発明のこの第４の実施例も、図１に示されたブラケットアセンブリ２に依存するとともに、対応するプラットフォーム要素２０Ａも、一般的に、本発明の第１、第２及び第３の実施例によるプラットフォーム要素２０Ａと同様にフレームの形状を有している。また、プラットフォーム要素２０Ａの構造は、一般に、第１の実施例のプラットフォーム要素２０Ａの構造と類似しているが、Ｃ字状のフレーム２３の代わりにそり２７に類似した支持フレーム５０（図１８〜図２０において良好に視認可能）を含む点で異なる。
【００６０】
本発明のこの第４の実施例のプラットフォーム要素２０Ａを用いる、タワー１の頂部領域へのナセル１１及びロータ１２の持上げの方法は、以下のステップを含んでいる。
【００６１】
図１６において見て取れるように、プラットフォーム要素２０Ａがタワー１の基部領域において組み立てられる場合、このプラットフォーム要素は、ブラケットアセンブリ２の積荷支持部５に取り付けられた持上げケーブル９に結合される。そして、ロータ１２の２つのブレード１５及びハブ１３も地面において組み立てられるとともに、支持フレーム５０に配置される。ナセル１１は、そり２７上に配置される（第１の実施例のプラットフォーム要素２０Ａが用いられる場合と同様）。そして、残りの第３のブレード１５が、適当な手段例えばケーブル５５を用いてプラットフォーム要素２０Ａに結合される。ケーブルは、リール又は支持フレーム５０に取り付けられた適当な持上げ装置５６（図１９参照）に結合されている。
【００６２】
そして、プラットフォーム要素２０Ａは、本発明の第１の実施例に関連して記述された方法で持ち上げられる。しかしながら、プラットフォーム要素２０Ａの持上げ操作中には、ロータ１２を平坦な位置（すなわち地面に対してほぼ水平）から直立位置へ回転させる必要がある。これを踏まえて、本発明の第４の実施例による方法は、一般に、上述の第２の実施例の方法に類似して機能する。
【００６３】
一般的なケースでは、ブレード１５は、このブレード１５が重力の影響の下で直立位置に適合するよう自動的に強いられるようにケーブル５５に吊るされる。しかしながら、サービスクレーン３０又はこれに類する装置は、ブレード１５の配向の調整を補助するために用いられることも可能である。位置調整は、ブレード１５が完全に直立位置（すなわち地面に対して垂直）に達した後に完了する。
【００６４】
図１８に示すように、プラットフォーム要素２０Ａがタワー１の頂部領域へ達するときに、ナセル１１及びロータ１２をその最終位置において取り付けることを許容するために持上げ操作が停止される。必要があれば、プラットフォーム要素２０Ａをブラケットアセンブリ２に対して固定することが可能である。そして、ナセル１１は、その最終位置までそり２７を用いてタワー１へ向けて摺動又は転動される。調整ジャッキは、完全に正確な位置を達成するために用いられることが可能である。そして、ナセル１１は、そり２７からタワー１の頂部へ搬送される。
【００６５】
次のステップでは、ロータのための支持フレーム５０に結合されたそりも、ロータ１２がその最終位置へ達するまで、（図１９における矢印で示されているように）タワー１へ向けて移動される。調整ジャッキは、ロータ１２が容易にナセル１１に結合され、取り付けられるようにナセル１１に関してロータ１２の位置を微調整するために用いられる。
【００６６】
最後の組立ステップは、図２０に示されている。持上げ装置５６は、支持フレーム５０から吊るされた第３のロータブレード１６を所定の位置へ持ち上げるために用いられる。タグライン装置又はこれに類する手段をロータ１２に関するブレード１５の位置を微調整するために用いることが可能である。正確な位置がひとたび達成されると、ブレード１５は、ハブ１３に結合される。
【００６７】
ロータ１２及びナセル１１がその最終位置へ配置された後のプラットフォーム要素２０Ａの下降は、本発明の第１の実施例によるプラットフォーム要素２０Ａの下降と同様である。また、上述の実施例と同様に、移動可能なカウンタウェイトを、上昇プロセス全体の間にほぼ同一の位置又はあらかじめ設定された位置に重心を維持するために設けることが可能である。
【００６８】
本発明によるアセンブリ及び方法の第５の実施例が図２１〜図２６に示されている。本発明によるアセンブリ及び方法の第５の実施例は、特に、風力タービンの沖合での設置及び建造に適している。しかし、これらアセンブリ及び方法を、他の類似の構造に関連して用いることも可能である。
【００６９】
本発明の第５の実施例のこの特別な応用によれば、タワー１は、地面上に配置されているわけではなく、本発明の第５の実施例によるプラットフォーム要素２０Ａを有する図１の風力タービンタワーの基部領域を示す図２１に示されているように、持上げプロセスの開始前に対応する沖合プラットフォーム１００又はこれに類するものの上へ配置される。図２１において見て取れるように、本発明の第５の実施例によるプラットフォーム要素２０Ａは、本発明の上述の最初の４つの実施例におけるプラットフォーム２０Ａとかなり類似している。しかし、第５の実施例のアセンブリ２０に関連して上述の実施例のうちいずれかのプラットフォーム要素２０Ａを用いること、及びその逆も考えられる。
【００７０】
本発明の第５の実施例の主な特徴は、図２２において見て取れるように、上方から持ち上げられるべき負荷要素（例えばナセル１１）を支持するために用いられるポータルフレーム７０の存在である。このポータルフレーム７０の移動は、（ハブ軸に対する）長手方向よりもむしろ横方向である。このポータルフレーム７０は、第２の実施例におけるポータルフレーム２１０にいくらか類似しているが、異なるように建造されることも可能である。
【００７１】
他方、図１のものと類似したブラケットアセンブリ２もタワー１の頂部に設けられている（このブラケットアセンブリ２は図２２において部分的に視認可能である）。このブラケットアセンブリ２は、本発明の上述の実施例におけるブラケットアセンブリ２と同様の機能を有しているが、わずかに異なる構造を有してもよい。
【００７２】
本発明の第５の実施例による持上げ方法は以下のステップを有している。
【００７３】
プラットフォーム要素２０Ａがタワー１の基部領域に配置された後、ナセル１１及びロータ１２のハブ１３が共に組み立てられ、外部の従来のクレーン３０を用いてプラットフォーム要素２０Ａ上に支持ポータルフレーム７０と共に配置される。図２２において示されているように、このクレーンは、フローティングプラットフォームに取り付けられることができる。
【００７４】
忘れてはならないのは、本発明の第５の実施例によるプラットフォーム要素２０Ａも、好ましくは、重心のほぼ一定の位置又はあらかじめ設定された位置を保証するために用いられ得る移動可能なカウンタウェイトを含むことが可能であるという詳細である。
【００７５】
図２３及び図２４に示された次のステップにおいては、プラットフォーム要素２０Ａは、ハブ１３及びポータルフレーム７０に結合されたナセル１１と共にタワー１の基部領域とタワー１の頂部領域の間の中間位置に到達するまで持ち上げられる。この位置では、ロータ１２のブレード１５が好ましくは外部のクレーン３０を用いて組み立てられる。ロータ１２がひとたび完全に組み立てられると、プラットフォーム要素２０Ａの持上げプロセスは、プラットフォーム要素２０Ａがタワー１の頂部領域へ到達するまで再開されることが可能である。
【００７６】
持上げプロセス中に、カウンタウェイトは、重心をほぼ一定に、又はあらかじめ設定された位置に維持するために調整される。タワー１の頂部に至ると、必要であれば、プラットフォーム要素２０Ａが再びブラケットアセンブリ２に対して固定される。
【００７７】
そして、ポータルフレーム７０と共にナセル１１及びロータ１２は、タワー１の上方の最終位置へ至るまでプラットフォーム要素２０Ａの頂部上を変位される。この移動は、図２５Ａ及び図２５Ｂにおいて良好に図示されている。そして、調整ジャッキは、タワー１の頂部へ搭載されることができるナセル−ロータアセンブリの正確な位置を微調整するために用いられる。積荷（ナセル１１及びロータ１２）の変位は、カウンタウェイトの対応する調整によって追従される。
【００７８】
図２６に示された次のステップにおいては、ナセル１１の支持そりも、ナセル１１及びロータ１２をすっきりさせるために摺動又は転動によって移動される。プラットフォーム要素２０Ａがタワー１の基部領域へ下降されるときに、ポータルフレーム７０は除去される。
【００７９】
最後に、本発明は、高い構造物を本来あるべきように直立させるための好ましい方法において用いられ得る複数のアセンブリ及び方法に関するものである。本発明の第６及び第７の実施例は、本発明のこの用途に関するものである。
【００８０】
本発明の第６の実施例は図２７〜図３３に示されている。
【００８１】
図２７は、タワー１の基部領域における本発明の第６の実施例によるプラットフォーム要素２０Ａを示すものである。図２７において見て取れるように、（図１を参照して記述されたブラケット要素３に類似する）タワー支持ブラケット要素８１を有するブラケットアセンブリ２を含むプラットフォーム要素２０Ａは、タワー１の基部領域において組み立てられる。従来のクレーン又はこれに類する装置は、このアセンブリを取り付けるために用いられ得る。ブラケット要素８１は積荷持上げ段階中に持ち上げられた重量を支持するため、これらブラケット要素は、タワー１に適切に保持される必要がある。この目的のために、タワーへのブラケット要素８１の結合は、ピンシステム又はこれに類するものを用いて保証される必要がある。
【００８２】
本発明のこの実施例においては持上げケーブルは不要であるが、ブラケット要素からタワー１の基部領域へ垂直に吊るされたこのようなケーブルを設けることができる。本発明の上述の実施例のように、これら持上げケーブルは、タワー１の基礎へ結合可能であるか、結合可能でない。そして、ポータルフレーム８２（図２８に図示）は、プラットフォーム要素２０Ａにおいて組み立てられる。
【００８３】
持上げプロセス及びタワー１の直立プロセスは、以下のようになされる（図２８及び図２９はこのプロセスの中間段階を示し、図２７に示す段階に直接つづくものではないことに留意されたい）：新たなタワーセグメント１Ａが部分的に完成されたタワーの基部領域へ搬送される。ポータルフレーム８２及び持上げケーブル９０００（図２８参照）を用いることで、この新たなタワーセグメント１Ａが持ち上げられ、プラットフォーム要素２０Ａに配置される。この目的のために、持上げ装置８３（例えばウインチ又はこれに類するもの）がタワーセグメント１Ａを有する持上げケーブル９０００を引っ張るために用いられる。本発明の他の実施例に関連して上述したように、プラットフォーム要素２０Ａは、重心のほぼ安定した位置又はあらかじめ設定された位置を保証するために用いられる可動のカウンタウェイトを有することができる。
【００８４】
本発明の他の実施例に関連して説明したタワー構成要素の移動と類似したように、タワーセグメント１Ａは、（図３０において示されているように）既に組み立てられたタワー１の一部の上方における最終位置までプラットフォーム要素２０Ａの頂部においてそり装置上を摺動又は転動によって移動される。調整ジャッキ又は他の適当な手段は、いまやタワーセグメント１Ａの正確な位置の達成のために用いられることができる。ここでも、プラットフォーム要素２０Ａにおけるカウンタウェイトは、ほぼ変化なく又はあらかじめ設定された位置に重心の位置を維持するために調整される必要があり得る。
【００８５】
そして、図３１における図示によれば、持上げ装置８３（例えばウインチ又はこれに類するもの）は、タワーセグメント１Ａをタワー１の頂部へ搭載するために用いられる。そして、ポータルフレーム８２は、タワーセグメント１Ａから取り外され得る。そして、ポータルフレーム８２は、ジャッキ８４又は他の適当な手段を用いるプラットフォーム要素２０Ａにリンク結合される。同時に、ポータルフレーム８２は支持ジャッキ８５又は他の適当な手段を介してタワー１の頂部に結合される。そして、これら支持ジャッキ８５（又はこれに類する手段）は、タワー１から取り外されることができる（図３１において視認可能）。
【００８６】
そして、ポータルフレーム８２とプラットフォーム要素２０Ａの間に配置されたリンクジャッキ８４は、ブラケット要素８１を含むプラットフォーム要素２０Ａを持ち上げるために用いられ、ブラケット要素は、タワー１に係合していない。タワー１の組み立てられた部分の頂部において最終位置がひとたび達成されると、ブラケット要素８１は上述のように再びタワー１に保持される。構造全体は、（図３２に図示されているように）ブラケット要素８１から搭載されることが可能である。このとき、支持ジャッキ８５（又はこれに類する装置）は取り外される。
【００８７】
方法の次のステップでは、ポータルフレーム８２とプラットフォーム要素２０Ａの間の上述のリンクジャッキ８４は、（図３３に図示されているように）ポータルフレームを持上げ、その側方へ変位できるように用いられる。そして、この方法は、更に全てのタワーセグメント１Ａが取り付けられ、タワー１が完全に直立されるまで図２８において開始されるステップを繰り返すことで実行され得る。
【００８８】
本発明の第７の実施例が模式的に図３４〜図４３に示されている。
【００８９】
本発明のこの第７の実施例では、より高いタワーセグメント１Ｂがタワー１の直立のために用いられる。この目的のために、本発明の上述の実施例に関連して用いられるブラケットアセンブリに類似するブラケットアセンブリは、部分的に直立されたタワー１（図３５参照）に取り付けられる。主な違いは、この実施例では長手方向のプラットフォームの形状をも有するブラケット要素９０の形状である。
【００９０】
ブラケットアセンブリ要素９０は、ここでも自己上昇式のものであるか、又は適切な持上げ装置（例えば従来のクレーン）によって取り付けられ得る。ブラケット要素９０も、積荷持上げプロセス中に持上げられた重量を支持するために設計されており、そのために、ブラケット要素はタワー１へ適切に固定される。この目的のために、タワーへのブラケット要素９０の結合はピンシステム又はこれに類するものを用いて保証され得る。ブラケット要素９０のそれぞれは、２つ又はそれ以上の結合点によってタワー１へ結合され得る。図１の持上げケーブル９に類似する持上げケーブル９１は、ブラケット要素９０のそれぞれ１つに取り付けられている。
【００９１】
図３４に図示された本発明のこの第７の実施例による方法の次のステップでは、プラットフォーム要素２０Ａがタワー１の基部領域において組み立てられ、そして、持上げケーブル９１に結合される。２つのタワーセグメント１Ｂは、適当な持上げ方法を用いるプラットフォーム要素２０Ａに取り付けられる。これらタワーセグメント１Ｂのそれぞれ１つがその頂部において上述のようにブラケットアセンブリを保持することに留意されたい。図３４において見て取れるように、タワーセグメント１Ｂのそれぞれ１つは、サポートフレーム９５によってプラットフォーム要素２０Ａにおいて支持されている。プラットフォーム要素２０Ａの頂部における２つの支持フレーム９５のそれぞれ１つは、適切な変位又は運動手段（例えば油圧ジャッキ又はこれに類するもの）によってプラットフォーム要素２０Ａの頂部において側方に移動可能なそり９４上に配置されている。
【００９２】
そして、タワーセグメント１Ｂを有するプラットフォーム要素２０Ａは、本発明の第１の実施例に関連して説明したものと類似した形態で部分的に直立されたタワー１の頂部に到達するまで持ち上げられる。方法のこの段階は、図３６に示されている。この位置がひとたび達成されると、プラットフォーム要素２０Ａは、タワー１の頂部におけるブラケット要素９０と好ましくは強固に接続されることができる。そして、第１のタワーセグメント１Ｂは、その最終位置へ至るまでプラットフォーム要素２０Ａの頂部における対応するそり９４上で横方向に及び／又は垂直方向に変位（例えば摺動）可能である。そして、調整ジャッキは、既に直立されたタワー１の部分に関してタワーセグメント１Ｂの正確な位置を達成するために用いられる。
【００９３】
そして、図３７に示されているように、タワーセグメント１Ｂは部分的に組み立てられたタワー１の頂部へ搭載される。この第１のタワーセグメント１Ｂがひとたび配置されると、このタワーセグメントは、タワー１をすっきりさせるプラットフォーム要素２０Ａの側方における初期位置に到達するまで、固定されていない支持フレーム９５が対応するそり９４上を移動し得るように、対応する支持フレーム９５から取り外されることができる。
【００９４】
本発明の他の全ての実施例のように、持上げ装置２０のプラットフォーム要素２０Ａにおけるカウンタウェイトは、持上げ装置２０の積荷補償を調整するため、したがってほぼ一定な又はあらかじめ設定された重心を維持するために用いられ得る。
【００９５】
そして、図３８に示されているように、方法の次のステップにおいては、プラットフォーム要素２０Ａが新たに建造されたタワー１の一部の頂部においてブラケットアセンブリに結合される。持上げ装置（例えばウインチ）９６は、（新たに取り付けられたタワーセグメント１Ｂの頂部に対応する）タワー１の頂部へ持上げケーブル９１を引き上げるために用いられる。
【００９６】
図３９及び図４０には、本発明のこの実施例による方法の次のステップが示されている。
【００９７】
より具体的には、図３９及び図４０には、残りのタワーセグメント１Ｂと共にプラットフォーム要素をタワー１の頂部における取付レベルまで持ち上げるためにいまやタワー１の頂部に固定されている持上げケーブル９１の使用が示されている。このレベルがひとたび達成されると、プラットフォーム要素は好ましくは対応するブラケットアセンブリに強固に結合され得る。
【００９８】
プラットフォーム要素２０Ａがひとたび取付レベルに固定されると、最終位置に到達し、そして図４１に示されているようにタワー１の頂部へ搭載されるまで、残りのタワーセグメント１Ｂがプラットフォーム要素２０Ａにおいて対応するそり９４上で変位する。方法のこれらステップは、第１のタワーセグメント１Ｂが変位され、タワー１の頂部に搭載される形態に対応する。調整ジャッキは、ここでもタワーセグメント１Ｂの位置を微調整するために用いられる。セグメント１Ｂの変位は、ほぼ一定に又はあらかじめ設定された位置に重心を維持するためのプラットフォーム要素２０Ａ上のカウンタウェイトの調整によって相殺される。持上げ装置（例えばウインチ）９６は、（新たに取り付けられたタワーセグメント１Ｂに対応する）タワー１の頂部へ持上げケーブル９１を引き上げるために用いられる。
【００９９】
本発明の第７の実施例による方法の最後のステップは、図４２及び図４３に示されている。より具体的には、タワー１の頂部に固定された持上げケーブルは、プラットフォーム要素２０Ａを支持する第１の組のブラケット要素が取り外され、プラットフォーム要素２０Ａから吊るされるように、プラットフォーム要素２０Ａをわずかに持ち上げるために用いられる。そして、プラットフォーム要素は、ブラケット要素の第２の組もプラットフォームから吊るされるまで持上げケーブル上へ下降される。最後に、プラットフォーム要素２０Ａは通常のように地面へ下降されることができる。
【０１００】
説明される実施は、例によってのみ得られ、方法及び装置は他の形態で実施されることができる。例えば、技術は、タワーの頂部への風力タービン構成要素を持ち上げることについての詳細において記述されているが、本発明の実施例による方法は高い建造物における持ち上げられた領域へ大きな積荷を持ち上げるために用いられることが可能である。タワーは、典型的には鉄筋コンクリート構造であり得るか、又は金属若しくは複合材料で建造され得る。また、タワー１は必ずしも円形状の要素で構成される必要はない。この代わりに、他の外形のセグメント１Ａ及び１Ｂ、特にだ円状又は長方形状のタワーが用いられ得る。さらに、オープン及びトラスタイプの構造物及び／又はセグメントも可能である。
【０１０１】
本発明が図面及び上記説明において詳細に図示及び記述された一方、このような図示及び説明は、説明上のものであるとともに例示的なものであることに留意すべきであり、制限的に本発明が開示された実施例に限定して考慮されるべきではない。他の実施例及びバリエーションは、特許請求された発明の実施時に図面、明細書及び添付の請求項の検討に基づいて当業者によって達成され得るものである。
【０１０２】
請求項において、「含む」という単語は、他の要素又はステップを除外するものではなく、冠詞「ａ」又は「ａｎ」は複数を除外するものではない。異なる特徴が相互に異なる請求項において記述されているという単なる事実は、これら特徴の組合せが有利に用いられないということを示すものではない。請求項におけるいかなる参照符号も本発明の範囲を制限するように解釈されるべきではない。
【図１】
0006285546.tif 000002
【図２】
0006285546.tif 000003
【図３】
0006285546.tif 000004
【図４】
0006285546.tif 000005
【図５】
0006285546.tif 000006
【図６】
0006285546.tif 000007
【図７】
0006285546.tif 000008
【図８】
0006285546.tif 000009
【図９】
0006285546.tif 000010
【図１０】
0006285546.tif 000011
【図１１】
0006285546.tif 000012
【図１２】
0006285546.tif 000013
【図１３】
0006285546.tif 000014
【図１４】
0006285546.tif 000015
【図１５】
0006285546.tif 000016
【図１６】
0006285546.tif 000017
【図１７】
0006285546.tif 000018
【図１８】
0006285546.tif 000019
【図１９】
0006285546.tif 000020
【図２０】
0006285546.tif 000021
【図２１】
0006285546.tif 000022
【図２２】
0006285546.tif 000023
【図２３】
0006285546.tif 000024
【図２４】
0006285546.tif 000025
【図２５Ａ】
0006285546.tif 000026
【図２５Ｂ】
0006285546.tif 000027
【図２６】
0006285546.tif 000028
【図２７】
0006285546.tif 000029
【図２８】
0006285546.tif 000030
【図２９】
0006285546.tif 000031
【図３０】
0006285546.tif 000032
【図３１】
0006285546.tif 000033
【図３２】
0006285546.tif 000034
【図３３】
0006285546.tif 000035
【図３４】
0006285546.tif 000036
【図３５】
0006285546.tif 000037
【図３６】
0006285546.tif 000038
【図３７】
0006285546.tif 000039
【図３８】
0006285546.tif 000040
【図３９】
0006285546.tif 000041
【図４０】
0006285546.tif 000042
【図４１】
0006285546.tif 000043
【図４２】
0006285546.tif 000044
【図４３】
0006285546.tif 000045